(57)【特許請求の範囲】
【請求項１】
後方部（４８）及び前方部（５０）を有する調整孔（４６）を具備し、前方部がインサートのポケットの壁（２０、２４）の近位に配置されており、
調整孔（４６）の後方部（４８）内に配置された調整部材（３８）を具備し、調整部材（３８）が調整孔（４６）の前方部（５０）に隣接した前端（４０）を有し、更に、
ポケットの壁（２０、２４）に隣接する調整孔（４６）の前方部（５０）内に配置された調整ボール（４４）を具備し、その配列が、調整孔（４６）の前方部（５０）中に調整部材（３８）を押し込む時に、調整部材（３８）の先端（４０）が、調整ボール（４４）と係合し、それを調整孔の前方部（５０）と接触させ、その結果として調整ボール（４４）が、変形により、ポケットの壁（２４）の少なくとも一部の位置を変更するように、ポケットの壁（２０、２４）に力をかけるようになっている
ことを特徴とする、切削工具におけるインサートのポケットの調整機構。
【請求項２】
調整部材（３８）が、調整孔（４６）の後方部（４８）とねじによりかみ合っている調整ねじであり、ここで、調整ねじ（３８）が調整孔（４６）の前方部（５０）に隣接する前端（４０）を有し、配列が、調整ねじを締め付ける時に、調整ねじが調整孔（４６）の前方部（５０）中に押し込まれ、調整ねじ（３８）の前端（４０）が調整ボール（４４）と係合し、それを調整孔の前方部（５０）と接触させ、その結果として調整ボール（４４）が、変形により、ポケットの壁（２４）の少なくとも一部の配置を変更するために、ポケットの壁（２０、２４）に力をかけるようになっている、
請求項１記載のインサートのポケットの調整機構。
【請求項３】
調整ボール（４４）が第１及び第２の接触域（５２、５４）で調整孔（４６）の前方部（５０）と接触させられ、それにより、第１の接触域（５２）が変形されて、その結果、ポケットの後部隣接面（２６、２７）がインサートのポケット中に張り出される、請求項１又は２のどちらかに記載の、インサートのポケットの調整機構。
【請求項４】
調整孔（４６）の前方部（５０）が潰れた切頭円錐形である、請求項３記載のインサートのポケットの調整機構。
【請求項５】
調整孔の横方向の面上にで採られ、第１及び第２の接触域を通過する、調整孔の前方部（５０）の横断面が概括的に楕円形である、請求項４記載のインサートのポケットの調整機構。
【請求項６】
調整孔の縦方向の面上に採られ、第１及び第２の接触領域を通過する、調整孔の前方部（５０）の横断面が楔様の形である、請求項５記載のインサートのポケットの調整機構。
【請求項７】
調整ねじの前端に円錐形のくぼみが付いている、請求項２から６のいづれか１項に記載のインサートのポケットの調整機構。
【発明の詳細な説明】
【０００１】
【発明の分野】
本発明はインサートのポケット内の、インサートの位置調整のための機構に関する。
【０００２】
【発明の背景】
切削工具上に取り付けられた切削インサートの切削縁を正確に配置することができることが重要な、切削工具に関する多数の機械加工操作が存在する。切削工具中に形成されたインサートのポケット内に締め付けられたインサートに対して、切削縁の正確な位置は、インサート及びポケットが製造される精度に依存する。これらの２種の因子のどちらかの不正確さが、その他の事項のなかでも、不均等な切削面をもたらすであろう。例えば、カッター本体の相対する面上に切削されたインサートのポケットを有する、半径方向のインサートを有する立て削りカッターは、右及び左のインサートの間の不整合並びに半径方向及び軸方向の回転振れの両方を受ける可能性がある。
【０００３】
インサート、及び特にそれらの切削縁は、切削工具上に取り付けることができるすべてのインサートを均一にさせるために研磨することができる。しかし、２個の隣接するポケットの壁を有する工具ポケットは研磨することができず、従って、基本的には、インサートに隣接するポケットの壁の位置の不正確さにより、取り付けられたインサートの位置に、ある程度の不正確さが存在する可能性がある。
【０００４】
以上を考慮すると、インサートに隣接するポケットの壁の位置の不正確さを排除するか、又は許容できる限界内まで減少させて、それによりポケット内に取り付けられたインサートの配置の不正確さを減少させるであろうような、調整機構を提供する必要が存在することは明白であるにちがいない。
【０００５】
【発明の要約】
インサートのポケット内に取り付けられたインサートの位置を変更するために、ポケットの隣接する特徴物を調整するための機構を提供することが本発明の目的である。
【０００６】
本発明に従うと、切削工具内に、
後方部及び前方部を有する調整孔、ここで前方部がインサートのポケットの壁の近位に配置されている、並びに
調整孔の後方部内に配置された調整部材、ここで、調整部材が、調整孔の前方部に接する先端を有し、配列が、調整部材を調整孔の前方部中に押し込む時に、変形により、少なくともその一部分の位置を変形するためにインサートのポケットの壁に力がかかるようになっている、
を含んでなる、インサートのポケットの調整機構が提供される。
【０００７】
本発明の好ましい態様に従うと、調整孔の後方部の少なくとも一部はねじ留めされており、調整部材は先端及びねじ留めされた後部末端を有する調整ねじであり、ここで、調整ねじが、調整孔の後方部とねじで係合しており、調整ねじの先端が、調整ねじが締め付けられると、調整孔の前方部の方向に押しやられる。
更に、本発明の好ましい態様に従うと、調整機構は更に、ポケットの壁に接する調整孔の前方部内に配置された調整ボールを含んでなり、そのため、調整ねじを締め付ける時に、その先端が調整ボールと係合し、調整孔の前方部と接触させて、その結果、調整ボールが、変形により、少なくともその一部の位置を変更させるためにポケットの壁に力をかける。
【０００８】
更に、本発明の好ましい態様に従うと、調整ボールは第１及び第２の接触域で、調整孔の前方部と接触され、それにより第１の接触部が変形され、その結果ポケットの後部接触面がポケット中に張り出される。
【０００９】
好ましくは、調整孔の前方部は潰された切頭円錐形である。
【００１０】
具体的には、調整孔の横方向の面上に採られ、第１及び第２の接触域を通過する調整孔の前方部の断面は、概括的に楕円形である。
【００１１】
更に具体的には、調整孔の縦の面上に採られ、第１及び第２の接触域を通過する調整孔の前方部の断面はくさび型を有する。
【００１２】
所望の場合には、調整ねじの先端には円錐形のくぼみが付いている。
【００１３】
より良い理解のために、本発明を今度は付記の図面に関して、例のみによって説明されよう。
【００１４】
【実施例】
本発明は立て削りカッターに関して説明されるが、それは概して、フライス及び、ポケットを保持するインサート内に取り付けられた交換可能な切削インサートを有する種類のその他の切削工具にも同様に適用されることは認識されるであろう。
【００１５】
最初に、シャフト１４により駆動される工具本体１２を含んでなる立て削りカッター１０を示す図１及び図２に注目される。立て削りカッターは回転軸１５を有する。工具本体１２には切削インサート１８を受納するための複数の切削インサート受納ポケット１６が付いている。各ポケット１６は、側部隣接面２２を有する側壁２０及び、内側の後部隣接面２６及び外側後部隣接面２７を有する後部の壁２４を含んでなる。インサート２８は、インサート内のねじ孔２９（図３を参照されたい）を通過し、ポケット１６の基底部３２に形成されたねじ山付きねじ孔３０内に受納される締め付けねじ２８によりポケット１６に固定される。インサートは４個の概括的に垂直な周囲の壁３１ａ、３１ｂ、３１ｃ及び３１ｄを有する（図４を参照されたい）。インサート１８の１個の周囲の壁３１ａは、側部の隣接面２２に接するが、それに対し、インサートの隣接する周囲の壁３１ｂは内側及び外側後部隣接面２６及び２７それぞれに接し、それにより、インサートのポケット１６内のインサート１８の位置を決定する。
【００１６】
示された種類の立て削りカッターにおいて、インサート１８は工具の先端面３３及び工具の背面３４上に交互に配置されて、それぞれ「右」及び「左」インサートを区画している。加工物の正確な機械加工のためには、工具上に取り付けられたすべてのインサートの切削縁３６が正確に整列されることが重要である。不正確に整列された切削縁は半径方向の回転振れ及び／又は右及び左のインサートの間の不整合をもたらす可能性がある。あるインサートの半径方向の回転振れは、そのインサートがその他のインサートに対して半径方向に外側に移動される状況を意味し、ここで、その移動は、その締め付けねじの周囲を回転せずにインサートの半径方向の並進によりもたらされる。右及び左のインサートの不整合は、インサートの一方又は両方が、インサートの切削縁が相互に対して回転して移動される結果として、その締め付けねじの周囲を回転される状況を意味する。従って、正確な機械加工のためには、半径方向の回転振れ並びに右及び左のインサートの間の不整合を排除するか又は最小に減少しなければならない。
【００１７】
インサートができるだけ正確に製造されたと仮定すると、本発明は、調整ねじ３８により、ポケットの隣接面の位置を調整するための調整機構を提供する。好ましくは、以下により詳細に説明されるように、２個の調整ねじが使用される。より具体的には、図１に示された立て削りカッターに対して、ポケットの後部隣接面の位置は、左右のインサートの間の不整合及び半径方向の回転振れが、調整ねじの調整により排除されるか又は要求される最小限度まで減少させることができるように調整される。
【００１８】
図３において、調整ねじ３８は、調整ねじを締め付けるか又は緩めるためのレンチを受納するための、六角形又は平目刻みのソケット等のようなソケット４３が付いた前端４０及び後端４２を有する。調整ボール４４は調整ねじ３８の前端４０の近位に配置され、それにより組み込まれることができる。調整ねじ及び調整ボールは工具本体１２内に提供された調整孔４６内に配置されている。調整孔４６は、調整ねじ３８を組み込むための、少なくともその一部分がねじで留められている、後方部４８、並びに、調整ボール４４を組み込むための、少なくとも一部は円錐形である前方部５０を有する。以下に更に詳細に説明されるように、前方部５０は好ましくは、潰れた切頭円錐形である。
【００１９】
調整ねじ３８を締め付けると、それは調整孔４６中に前進して、調整ボール４４を調整孔の前方部５０に接触させる。調整ねじは調整ボール上に力をかけ、それが順次、第１の接触域５２及び第２の接触域５４で調整孔の前方部５０に力をかける。調整ねじ３８の前端４０には好ましくは、例えば円錐形又は球形の可能性があるくぼみ５６が付いている。これは、先端４０が平坦な場合に比して、調整ねじと調整ボールとの間に、より大きい接触域５８を確保する。図に示されるような、円錐形のくぼみの場合に対しては、接触域５８は、円錐形の切り取り領域の基底部である円形の縁である。調整ねじ３８により第１の接触域５２の近位のポケットの壁の位置を調整する時には、締め付けねじ２８は緩められたり又は完全に取り外される。
【００２０】
今度は図３及び４の両方において、調整孔の前方部５０の横断面は対称形ではないことに注目される。実際、前方部５０は潰れた切頭円錐形を有する。図３に示される前方部５０の横断面は半径方向の面上（すなわち、立て削りカッターの回転軸１５に対する垂直面上に、又は調整孔４６に対して、第１及び第２の接触域５２及び５４、それぞれを通過する調整孔の縦の面上）で採られ、この図においては、軸方向の面、すなわち切頭円錐形の面の軸を含む面上に採られた切頭形を有する。あるいは、言い換えれば、第１及び第２の接触域５２及び５４それぞれを通過する調整孔の縦方向の面上に採られた前方部５０の横断面は楔様の形態を有する。図４に示される前方部５０の横断面は、軸方向の面上（すなわち、立て削りカッターの回転軸１５に平行な面上、あるいは、調整孔４６に関して、第１及び第２の接触域５２及び５４それぞれを通過する調整孔の横方向の面上）に採られ、図から分かるように、この図においては実質的に楕円形である。調整孔の前方部５０のこの特別な形態が、調整ボール４４が第１及び第２の接触域５２及び５４それぞれにおいてのみ前方部５０に力をかけ、それにより、これらの領域にかけられる力をを集中させることを確保する。一方、前方部５０が、潰れた切頭円錐形ではなく、通常の切頭円錐形である場合には、図４に示された横断面は楕円形ではなく、円形であって、調整ボール４４は、２個の別な接触域５２及び５４における代わりに、連続的な円形域で調整孔の前方部と接触するであろう。図３に示されるように、前方部５０の楕円形の横断面の結果として、調整孔の前方部５０上に調整ボールによりかけられる力が概括的に半径方向にある。
【００２１】
図３及び図４にみることができるように、ポケットの後部の壁２４は、調整孔４６の前方部５０に隣接する領域で比較的薄い。従って、第１の接触域５２上に調整ボール４４によりかかる力は内側後部隣接面２６の領域のポケットの後部の壁２４を変形させて、後部隣接面２６をポケットの内に張り出させるであろう。一方、調整孔の前方部５０の第２の接触域５４は工具本体１２の比較的大きなかさ張る領域（図３の第２の接触域５４の左手）により支持されている。従って、第２の接触域５４上に調整ボール４４によりかかる力の主要な効果は、第２の接触域５４の近位の工具本体の僅かな潰れを引き起こすのみであろう。
【００２２】
本発明に従うと、調整ねじの締め付け後のポケットの壁の変形が、ポケットの壁の位置の不正確さを是正するために使用される。より具体的には、図に示された立て削りカッターに対しては、調整ねじ３８の締め付け後に、内側後部隣接面２６の領域のポケットの後部の壁２４の変形が、以下に説明されるように、ポケットの後部の壁２４の不正確な機械加工による左右のインサート間の不整合を排除するために使用される。
【００２３】
図においては、本発明の唯一の調整機構が示されている。この場合には、ねじのあらゆる締め付けが内側後部隣接面２６を変形させ、ポケット内に張り出し、それにより、主として外側半径方向に内側後部隣接面を移動させるであろう。その結果、インサート１８は外側半径方向に移動されるであろう。しかし、インサートが、半径方向の内側後部隣接面２６において移動されながら、側部隣接面２２及び外側後部隣接面２７と接触したままであるためには、インサートは締め付けねじ２８の周囲に時計回りの方向（図４に示されたインサートに対して）回転するであろう。この種類の調整は図１に示された切削工具の右左のインサートの間の不整合を是正するために使用することができ、それにより図４に示されたインサートは締め付けねじの回りの時計回りの回転を要する。具体的な非結合の例において、内側後部隣接面２６と、調整ボールとの第１の接触域５２、との間のポケットの壁の厚さは約０．３４ｍｍである。概括的には、内側後部隣接面の変形は百分の数ミリメーター、具体的には百分の二ミリメーターの移動を引き起こすであろう。概括的には、変形は塑性なので、調整ねじを締め付けることによりインサートの位置が調整された後には、調整ねじを緩めることにより作用を逆転させることは不可能である。
【００２４】
インサートの半径方向の回転振れを是正するため、又は図４に示されるインサートが締め付けねじの周囲の反時計回りの回転を要する不整合を是正するために、２種の調整機構が要請される。図４において、調整ボール４４が後部の壁２４の内側後部隣接面２６の近位に配置されていることが認められる。調整ねじ３８（図３に示されていない）及び調整ボール４４は第１の調整機構を形成する。第２の調整ねじ（図示されていない）及び組み合わされた第２の調整ボールを含んでなる第２の調整機構は外側後部隣接面２７の近位に付けることができることは明白でなければならない。図５は、第２の調整機構のこのような第２の調整ボール６０を示している。第１及び第２両方の調整機構の調整ねじを締め付けることにより、内側後部隣接面２６及び外側後部隣接面２７の両方が変形されて、それぞれがポケット中に張り出し、それにより内側後部隣接面２６及び外側後部隣接面２７の両方が外側の半径方向に移動するであろう。内側後部隣接面及び外側後部隣接面の両方が、同量だけ、外側半径方向に移動される場合は、インサート１８は、締め付けねじ２８の回りに回転せずに３種の隣接面２２、２６、及び２７すべてとの接触を維持しながら、外側の半径方向に移動されるであろう。
【００２５】
更なる第３の調整機構をインサートの軸方向の調整のために提供できることが認識されるであろう。図５においては、第３の調整機構は、その組み合わされた調整ボールが側面の隣接面２２の近位に配置されるような方法で配置されるであろう。
【００２６】
調整機構が調整ねじ及び別の調整ボールを使用して説明されたが、ねじの先端４０を調整孔の前方部５０に直接接触させて、調整ねじのみを使用することを考慮することができることは明白であろう。
【００２７】
本発明はある程度の個別性について説明されたが、以下に請求されるような発明の精神又は範囲から逸脱せずに、様々な変更及び修正を実施することができるであろうことが理解されなければならない。例えば、調整ボール４４を、調整孔の前方部５０と接触させることは、必ずしも調整ねじ３８により実施されねばならないとは限らないことは明白であろう。この作業は、その前端に調整ボールを組み込み、調整孔４６中に前進駆動させるあらゆる適切な調整部材により実行されることができる。
【図面の簡単な説明】
【図１】  １個の切削インサートを取外された立て削りカッターの遠近図である。
【図２】  図１に示された立て削りカッターのインサートのポケット内に配置されたインサートの上面図である。
【図３】  図２の線III-IIIに沿って採られた横断面図である。
【図４】  図３の線IV-IVに沿って採られた横断面図である。
【図５】  図４に類似の、しかし２個の調整機構の付いたインサートのポケットに対する横断面図である。
【図１】
0003794920.tif 000002
【図２】
0003794920.tif 000003
【図３】
0003794920.tif 000004
【図４】
0003794920.tif 000005
【図５】
0003794920.tif 000006